(57)【要約】【課題】分割されたケースを接合する際に、製品の寸法不良を起こすことなく、また空気漏れを起こすことないように空調ユニットを構成すること。【解決手段】第１の分割ケース２１には、エバポレータ７に装着する第１シール部材１８の側部シール面１８ａを支持する支持部２１ａと、支持部２１ａから側部側に立ち上がる第１雌側係合部２１ｂとを備えている。一方、第２の分割ケース２３には、第１シール部材１８の側部シール面１８ａと前部シール面１８ｂとを支持する支持部２３ａと支持部２３ａから側部側に立ち上がって第１雌側係合部２１ｂと対向するように配置する第１雄側係合部２３ｂを備えている。第１雄側係合部２３ｂを第１雌側係合部２１ｂに係合する際には、第１シール部材１８の側部シール面１８ａから離れていることから、第１シール部材１８を咬み込むことなく係合する。【選択図】図２
2004284412.tif 000002
【特許請求の範囲】
【請求項１】
熱交換器がケース内に配置され、前記ケースは、前記熱交換器の配置されている部位で分割されるとともに、前記熱交換器とケースとの間にシール部材が装着された空調ユニットのケース構造であって、
分割された一対のケースは、分割部位においてシール部材咬み込み防止手段を有して係合可能に構成されていることを特徴とする空調ユニットのケース構造。
【請求項２】
前記シール部材咬み込み防止手段が、前記シール部材を支持する支持部を備えるとともに、前記ケースの係合部位を前記支持部より離れた位置に配置して、分割された一対のケースどうしを係合可能に構成することを特徴とする請求項１記載の空調ユニットのケース構造。
【発明の詳細な説明】
【０００１】
【発明の属する技術分野】
本発明はエバポレータやヒータコア等の熱交換器を内蔵した空気調和ユニット（以下、空調ユニットという。）において、熱交換器の部位でケースを分割して構成する空調ユニットのケース構造に関する。
【０００２】
【従来の技術】
一般に、空調ユニットは、エバポレータやヒータコア等の熱交換器をケースに内蔵し、冷媒が循環するエバポレータにブロワ装置から送風された内外気が通過することによって内外気は冷却されて冷気となり、ヒータコアを通過した内外気は温風となって車室内の各部位に選択的に送風できるように構成されている。この空調ユニットは、樹脂製の材料で一体成形により複雑な形状で形成されていることから、通常、ケースは分割して形成されることが多く、分割位置はエバポレータが配置されている部位において分割される。
【０００３】
例えば、図６に示されている空調ユニット３１では、アッパケース３３とロアケース３４とがエバポレータ３５の部位において二分割に形成されたケース３２が示されている。エバポレータ３５の両側面においては弾性部材３６が配置され、弾性部材３６を介してアッパケース３３とロアケース３４が弾性部材３６を押圧しながら接合するように構成されている（特許文献１）。この特許文献１においては、弾性部材３６を介在することによってエバポレータ３５を構成する積層された複数のチューブによる寸法バラツキを吸収している。
【０００４】
【特許文献１】
特開平１１−７８５０６号公報（３〜４頁、図２参照）
【０００５】
【発明が解決しようとする課題】
しかし、従来の特許文献１に示されている空調ユニット３１においては、アッパケース３３とロアケース３４とが接合する係合接合部ではアッパケース３３とロアケース３４とが接合する際に、アッパケース３３とロアケース３４は、弾性部材３６に食い込むように接合することから、アッパケース３３とロアケース３４との間で弾性部材３６を咬み込みながら接合する虞れを生じる。
【０００６】
弾性部材が、特にシール部材として構成する場合では、図７に示すように、第１の分割ケース４３と第２の分割ケース４４とで接合する際に、ケース４２面とほぼ同じ高さに配置されている係合接合部では、エバポレータ４５の端部で装着されるシール部材４６を咬み込みやすくなる。シール部材４６を咬み込むことによって、シール性を損なうこととなって空気漏れが発生しやすいとともに、第１の分割ケース４３と第２の分割ケース４４との間にシール部材４６を挿入するスペースを形成することとなって、製品としての寸法不良となってしまう。
【０００７】
また、シール部材４６を咬み込まないように、注意しながら第１の分割ケース４３と第２の分割ケース４４とを接合すると作業性を低下させて組付コストを高くしてしまうこととなっていた。
【０００８】
本発明は、上述の課題を解決するものであり、分割されたケースを接合する際、シール部材を咬み込むことなくしかも作業性を低下させないように構成した空調ユニットのケース構造を提供することを目的とする。
【０００９】
【課題を解決するための手段】
本発明に係る空調ユニットのケース構造では、上記の課題を解決するために、請求項１記載の発明では、熱交換器を備えるケースは、熱交換器が配置されている部位で分割可能に形成されている。熱交換器とケースとの間にはシール部材が配置されていて、ケースにはケースの分割部位においてシール部材咬み込み防止手段が設けられていることから、分割されたケースを接合する際にケースはシール部材を咬み込むことなく接合することができる。
【００１０】
つまり、請求項２記載の発明のように、熱交換器に装着されているシール部材は、分割されたケースの支持部により熱交換器側に圧接されて気密性を有するとともに、ケースの支持部から離れた位置にある係合部で分割されたお互いのケースを係合することになるから、分割された一対のケースの係合の際には、シール部材を咬み込むことができない。従って分割された一対のケースを正確に係合することができ、製品不良とならずにまたシール性を損なうことなく組付けることができる。
【００１１】
【発明の実施の形態】
以下、本発明の一実施形態を図面に基づいて説明する。
【００１２】
実施形態の空調ユニットは、エバポレータとヒータコア等の熱交換器をケースに内蔵したもので説明する。
【００１３】
図１に示すように、空調ユニット１は、ケース２が水平方向に横長に形成され、ブロワ４が配置された送風室３と、エバポレータ７を通って冷気を送風する冷房通路６、ヒータコア９を通って暖気を送風する暖房通路８を備える通気路５と、ＤＥＦ用吹出し口１１Ａ・ＦＡＣＥ用吹出し口１１Ｂ・ＦＯＯＴ用吹出し口１１Ｃを備えて冷気・暖気とが混合可能に配置されるエアミックス室１０とが水平方向に並設するように構成されている。送風室３には、内気・外気を切替える内気・外気切替えドア１５が配置され、通気路５にはエアミックスドア１６が配置され、エアミックス室１０には、それぞれの吹出し口１１Ａ・１１Ｂ・１１Ｃごとに１枚ずつの切替えドア１３Ａ・１３Ｂ・１３Ｃがそれぞれ配置されている。
【００１４】
そして、ブロワ４によって送風室３に導入された内気又は外気は、エバポレータ７を通ってエアミックス１０室に流入される。この際、車室内に冷気を送風する場合には、エバポレータ７から冷房通路６を通ってエアミックス室１０に流入され、車室内に暖気を送風する場合には、エバポレータ７から暖房通路８を通ってエアミックス室１０に流入される。勿論、エアミックス室１０には、冷房通路６を通った冷気と暖房通路８を通った暖気とを混合させるようにしてもよい。エアミックス室１０から、各切り替えドア１３Ａ・１３Ｂ・１３Ｃのいずれかを選択して開放することによって、いずれかの吹出し口１１Ａ・１１Ｂ・１１Ｃから吹出されることとなる。
【００１５】
ケース２は、図２に示すように、エバポレータ７の両側部側の部位で第１の分割ケース２１と第２の分割ケース２３とに二分割されている。ケース２を二分割することによって、分割した面からケース２内を流れる空気の外部への漏れを防止するために、エバポレータ７の側面部（図２中、上下方向）にはゴム製の第１シール部材１８・第２シール部材１９が配置されている。第１シール部材１８はエバポレータ７の側面部と前後面（図２中、左右方向）を覆うように断面コ字状に形成され、第２シール部材１９はエバポレータ７の湾曲状に形成された側部を覆うように湾曲状に形成されている。なお、第１シール部材１８の側部側におけるシール面を側部シール面１８ａとし、第１の分割ケース２１側に対向する前部側シール面を前部シール面１８ｂとする。
【００１６】
第１の分割ケース２１は、一方の側（図２中、上側）において、第１シール部材１８の側部シール面１８ａ及び後面と接触する支持部２１ａと、支持部２１ａから側方側に立ち上がって形成される第１雌側係合部２１ｂとを備え、他方の側（図２中、下側）において、第２の分割ケース２３に形成された第２雄側係合部２３ｄに係合可能な第２雌側係合部２１ｃを、エバポレータ７の下流側の位置で配置している。
【００１７】
一方、第２の分割ケース２３は、一方の側において、エバポレータ７の側面から前後面を覆う断面コ字状の第１シール部材１８に、第１シール部材１８の側部シール面１８ａ及び前部シール面１８ｂと接触する支持部２３ａと、支持部２３ａから立ち上がって形成される第１雄側係合部２３ｂとを備え、他方の側において、湾曲状に形成された第２シール部材１９に接触する湾曲状溝部を有するエバポレータ嵌合部２３ｃと、エバポレータ嵌合部２３ｃの後部から突出するとともに第１の分割ケース２１の第２雌側係合部２１ｃと係合可能な第２雄側係合部２３ｄとを備えて形成されている。
【００１８】
なお、第２の分割ケース２３の前方壁部２３１には、送風室３から送給される空気を流通するために開口部２３２が形成されるとともに、第１シール部材１８の前部シール面１８ｂを支持する支持部２３ａと第２シール部材１９を支持するエバポレータ嵌合部２３ｃは、いずれも第２の分割ケース２３の前方壁部２３１から離れた位置で前方壁部２３１との間に空間部を有するように突出して形成されている。
【００１９】
さらに、第１の分割ケース２１の雌側係合部２１ｂは、支持部２１ａから略直交する方向に立ち上がる連接部２１ｄを有し、第２の分割ケース２３の雄側係合部２３ｂは、支持部２３ａから傾斜して形成される連接部２３ｅを有している。
【００２０】
従って、第１の分割ケース２１と第２の分割ケース２３とを接合する際、第１の分割ケース２１の第１雌側係合部２１ｂと第２の分割ケース２３の第１雄側係合部２３ｂとの係合部は、第１シール部材１８の側部シール面１８ａより離れた位置で係合することとなる。
【００２１】
次に、第１の分割ケース２１と第２の分割ケース２３とを接合する作用を図２〜３に基づいて説明する。
【００２２】
第１シール部材１８と第２シール部材１９とを両側面に装着したエバポレータ７の一方の側部を、まず分割した状態の第２の分割ケース２３のエバポレータ嵌合部２３ｃに仮嵌合する。この際、エバポレータ７に装着された第２シール部材１９とエバポレータ嵌合部２３ｃとの間に僅かに隙間を有するとともに、第２の分割ケース２３をエバポレータ７に対して僅かに傾けるようにしておく。
【００２３】
次に、エバポレータ７を仮嵌合した第２の分割ケース２３ごと第１の分割ケース２１に装着する。この際、エバポレータ７の一方の側に装着した第１シール部材１８の側部シール面１８ａを第１の分割ケース２１の支持部２１ａの端部に係止した状態で、第２の分割ケース２３のエバポレータ嵌合部２３ｃ側から第１の分割ケース２１の支持部２１ａ側に向かって押圧しながら、第２の分割ケース２３の支持部２３ａをエバポレータ嵌合部２３ｃの湾曲面を中心にして第１の分割ケース２１の支持部２１ａに向かって回転させる。そしてその状態で第２の分割ケース２３を第１の分割ケース２１に向かって接近させる。
【００２４】
第１の分割ケース２１と第２の分割ケース２３とは、図３に示すように、一方の側で、第２の分割ケース２３の第１雄側係合部２３ｂが第１の分割ケース２１の第１雌側係合部２１ｂに係合するとともに、第２の分割ケース２３の支持部２３ａで第１シール部材１８の側部シール面１８ａ・前部シール面１８ｂを押圧する。また、他方の側において、第２の分割ケース２３の第２雄側係合部２３ｄが第１の分割ケース２１の第２雌側係合部２１ｃに係合する。
【００２５】
この際、第２の分割ケース２３における支持部２３ａは、第１シール部材１８の側部シール面１８ａ上を摺動することになるが、第１の分割ケース２１と第２の分割ケース２３との係合部（雌側係合部２１ｂと雄側係合部２３ｂ）は第１シール部材１８の側部シール面１８ａ（支持部２１ａ・２３ａ）から離れた位置にあり、第１の分割ケース２１の支持部２１ａ及び第２の分割ケース２３の支持部２３ａとの間は隙間を有して、当接することがないことから、第１の分割ケース２１と第２の分割ケース２３との係合部で第１シール部材１８を咬み込むことはない。
【００２６】
また、第２シール部材１９は、エバポレータ嵌合部２３ｃで全シール面が支持されていることから、第２の分割ケース２３の第２雄側係合部２３ｄと第１の分割ケース２１の第２雌側係合部２１ｃとの間で第２シール部材１９を咬み込むことはない。
【００２７】
従って、ケース２をエバポレータ７の部位で分割するとともに、分割された第１の分割ケース２１と第２の分割ケース２３を接合する際に、第１の分割ケース２１と第２の分割ケース２３との係合部（雌側係合部２１ｂと雄側係合部２３ｂ）をシール部材１８の側部シール面１８ａから離れた位置に配置することによってシール部材１８を咬み込まないで接合できることから、ケース２の寸法を設定通りに組付けることができて品質を維持するとともに、咬み込むことによって発生する空気の漏れを防止することができる。
【００２８】
次に、第１の分割ケースと第２の分割ケースとを各分割ケースの支持部と離れた位置において係合する第２の形態について説明する。この形態においては、第１シール部材１８側において、第１の形態と別の形態を示すものであり、第２シール部材１９側においては、第１の形態と同様の構成を示すものであることから、以下の説明にあたっては、第１シール部材１８側で説明するものとする。
【００２９】
このケース構造は、図４に示すように、ケース２が第１の分割ケース２７と第２の分割ケース２９とに分割して形成され、第１の分割ケース２７は、エバポレータ７の側部全体を覆ってコ字状に形成された第１シール部材１８の側部シール面１８ａと後面を内周面で支持する支持部２７ａと、支持部２７の第２の分割ケース２３側端部に配置する雌側係合部２７ｂとを備えている。雌側係合部２７ｂの先端面は、第１シール部材１８の側部シール面１８ａ前端面より僅かに突出して配置されている。第１の分割ケース２７の他方の側においては、前述のように、前述の形態と同様に構成されている。
【００３０】
一方、第２の分割ケース２９は、壁部２９１の一方の端部に第１シール部材１８の前部シール面１８ｂを押圧する支持部２９ａを第１シール部材１８側に向かって突出するように形成するとともに、第１の分割ケース２７の雌側係合部２７ｂに対向するように、壁部２９１から第１の分割ケース２７側に向かって突出する雄側係合部２９ｂを形成している。第２の分割ケース２９の他方の側においては、前述のように、エバポレータ嵌合部を有して前述の形態と同様に構成されている。
【００３１】
次に、この形態における第１の分割ケース２７に第２の分割ケース２９を接合する作用を図４〜５に基づいて説明する。
【００３２】
前述と同様に、第１シール部材１８と第２シール部材１９とを両側面に装着したエバポレータ７の一方の側部を、まず分割した状態の第２の分割ケース２９のエバポレータ嵌合部に仮嵌合した後、第２の分割ケース２９を、エバポレータ嵌合部を中心にして第２の分割ケース２９を第１の分割ケース２７の支持部２７ａ側に向かって押圧しながら第１の分割ケース２７側に向かって回転させながら接近させる。
【００３３】
第１シール部材１８の側部シール面１８ａがすべて、第１の分割ケース２７の支持部２７ａ内に収納されると、図５に示すように、第２の分割ケース２９の支持部２９ａが、第１シール部材１８の前部シール面１８ｂに圧接するとともに、第１シール部材１８の前部シール面１８ｂより前方の位置において、第２の分割ケース２９の雄側係合部２９ｂが第１の分割ケース２７の雌側係合部２７ｂに係合する。
【００３４】
この際、第２の分割ケース２９は、第１シール部材１８の前部シール面１８ｂを前面側から押圧するものの、第１シール部材１８の側部シール面１８ａには接触することがないことから、第２の分割ケース２９の雄側係合部２９ｂを第１の分割ケース２７の雌側係合部２７ｂに係合する際には、第１シール部材１８を咬み込むことはない。
【００３５】
上記のように、第１の形態の場合や第２の形態の場合でも、第２の分割ケース２３（又は２９）が第１の分割ケース２１（又は２７）に係合して接合する際、第１シール部材１８の側部シール面１８ａと離れた位置で係合することから、第１シール部材１８を咬み込むことなく係合できケース２を組付けることができる。そのために、咬み込むことによって発生する寸法不良や、気密性の低下を防止することによって品質を維持できる空調ユニット１を構成することができる。
【００３６】
なお、本発明の空調ユニットケース構造は、分割されたそれぞれの分割ケースをエバポレータに装着されたシール部材の側部シール面と離れた位置で係合するようにシール部材咬み込み防止手段を形成すれば、上記の形態に限定することなく、例えば、第１の形態の一方の側に配置された第１の分割ケース２１の第１雌側係合部２１ｂと第２の分割ケース２３の第１雄側係合部２３ｂとを、他方の側に配置された第２雌側係合部２１ｄと第２雄側係合部２３ｅが配置されているように、エバポレータ７の下流側の位置に配置して係合するようにしてもよい。
【００３７】
また、第１の分割ケースの第１雌側係合部・第２雌側係合部と第２の分割ケースの第１雄側係合部・第２雄側係合部とをそれぞれ雄・雌入れ替えるように形成してもよい。
【図面の簡単な説明】
【図１】一般的な空調ユニットを示す簡略平面図である。
【図２】図１における本発明の空調ユニットのケース構造を示す要部断面図である。
【図３】図２における作用を示す要部断面図である。
【図４】別の形態における空調ユニットのケース構造を示す要部断面図である。
【図５】図４における作用を示す要部断面図である。
【図６】従来の空調ユニットのケース構造を示す要部断面図である。
【図７】従来の空調ユニットのケース構造を示す要部断面図である。
【符号の説明】
１  空調ユニット
２  ケース
７  エバポレータ
１８  第１シール部材
１８ａ  側部シール面
１８ｂ  前部シール面
１９  第２シール部材
２１  第１の分割ケース
２１ａ  支持部
２１ｂ  第１雌側係合部
２１ｃ  第２雌側係合部
２３  第２の分割ケース
２３ａ  支持部
２３ｂ  第１雄側係合部
２３ｄ  第２雄側係合部
【図１】
2004284412.tif 000003
【図２】
2004284412.tif 000004
【図３】
2004284412.tif 000005
【図４】
2004284412.tif 000006
【図５】
2004284412.tif 000007
【図６】
2004284412.tif 000008
【図７】
2004284412.tif 000009